(57)【要約】【課題】髪をしっかりと把握してズリ落ちず、しかも装身具に相応しい装飾性を具える髪留めクリップを提供する。【解決手段】伏せた樋状の断面を有し全体が上方に凸に浅く湾曲するベース(１)と、前記ベース裏面に腹を押しつけて、ヒンジ(２ａ)と止め金(５)により開閉自在に保持される板ばね(２)とを有し、前記ベースの下縁全周に三角歯の列(６)を設け、ベース裏面の板ばねの外縁に接して２列の円錐突起列(３、３)を設け、並びに前記板ばねの中心線に沿って隆起線(２ｄ)を設ける。この髪留めクリップでは、板ばね(２)を閉じたとき、前記隆起線(２ｄ)とベース(１)裏面の天井面との隙間、板ばね(２)の外縁と円錐突起列(３、３)との隙間、及び三角歯列(６)の歯の隙間により、毛髪を３重に把握するので使用中にズリ落ちたり髪が偏ることがなく、ベースが毛髪から浮き上がらず密着する。【選択図】図１
0003139886.tif 000002
【実用新案登録請求の範囲】
【請求項１】
ベース(１)と板ばね(２)とを有し、ベースは伏せた樋状の断面形状と丸い両肩とを有して全体が上方に凸に浅く湾曲し、板ばねはベースに沿ってベース裏面の凹部に開閉自在に収容されてなる髪留めクリップにおいて、
ベースの裏面凹部天井から下方に向けて、閉じた状態の板ばねの外縁に接するように、２列の円錐突起列(３、３)を設け、ベースの裏面凹部の下縁部全周に三角歯の列(６)を設け、ベースの一端にその胴部側壁を横方向に貫通するピン(４)と、ベースの他端に止め金(５)を設け、及び、板ばねの一端にヒンジ環(２ａ)と、これに隣接する開環状スプリング部(２ｂ)と、ヒンジ環の反対側端部に係止用屈曲部(２ｃ)と、板ばね本体部分の中心線に沿って隆起線(２ｄ)を設けたことを特徴とする髪留めクリップ。
【考案の詳細な説明】
【技術分野】
【０００１】
本考案は髪留めクリップに関する。
【背景技術】
【０００２】
従来から「バレッタ」と呼ばれる髪留めクリップ(図２参照)が普及している。バレッタは通常金属製のばねＡ、Ｂ、Ｃとベースからなり、ばねＡは一端にばねＣを留めるヒンジ部と他端にばねＣの先端を係止する留め金とを具え、その背面に美麗な模様などを描いたプラスチック製のベースが取り付けられる。ばねＢをＡ、Ｃと別体とする製品が多いが、ばねＡの一部を張り出させてＢとする製品もある。いずれの場合もばねＢとＣは互いに噛み合い、両者の間に髪を挟んで押さえる。
【０００３】
しかしながら、ばねＢとＣは互いに反対方向に湾曲し、両者が噛み合うとＸ字形に交わるので、挟んだ髪が左右どちらかの端に偏り易く、髪の毛を把握するばねの力が弱いこともあって、髪留め全体が傾いてズリ落ち易い。また、装着したとき、ベースとばねＢの間が離れているので、ベースが髪から浮き上がったように見えて安定感がない。
【０００４】
一方、上記バレッタとは異なる「クリップザウルス」と称する髪留めが輸入されて出回っている。この製品の特徴は、「恐竜の上顎、下顎」に似たギザギザの髪押さえ部品(図３参照)がしっかりと髪を把握してズレ難い点である。しかし原色のプラスチックからなる全体の造りはゴツく、機能一点ばりで装身具としての優美さに欠ける。
【０００５】
【特許文献１】特開平7−194426号公報
【特許文献２】特開平8−173232号公報
【考案の開示】
【考案が解決しようとする課題】
【０００６】
本考案は、手近に手に入る従来の髪留めが、いずれも上のような欠点を有するところからなされたものであり、髪をしっかりと把握してズリ落ちず、しかも装身具に相応しい装飾性を具える髪留めクリップを提供することを目的とする。
【課題を解決するための手段】
【０００７】
請求項１の考案に係る髪留めクリップは、ベースと板ばねとを有し、ベースは伏せた樋状の断面形状と丸い両肩とを有して全体が上方に凸に浅く湾曲し、板ばねはベースに沿ってベース裏面の凹部に開閉自在に収容されてなる髪留めクリップにおいて、ベースの裏面凹部天井から下方に向けて、閉じた状態の板ばねの外縁に接するように２列の円錐突起列を設け、ベースの裏面凹部の下縁部全周に三角歯の列を設け、ベースの一端にその胴部側壁を横方向に貫通するピンと、ベースの他端に止め金を設け、及び、板ばねの一端にヒンジ環と、これに隣接する開環状スプリング部と、ヒンジ環の反対側端部に係止用屈曲部と、板ばね本体部分の中心線に沿って隆起線を設けたことを特徴とする。
【考案の効果】
【０００８】
本考案の髪留めクリップでは、板ばねの隆起線とベース裏面の天井面との隙間、板ばねの外縁と円錐突起列との隙間、及び三角歯列の歯の隙間により、毛髪を３重に把握するので使用中にズリ落ちたり髪が偏ることがない。また従来のバレッタに似た外形と共に装身具に相応しい装飾性を具え、しかもバレッタとは異なり、装着時にベースが毛髪に密着するので安定感がある。
【考案を実施するための最良の形態】
【０００９】
以下、本考案の一実施形態を添付図面に基づいて説明する。
【００１０】
図１は、本考案に係る髪留めクリップの構成例を示す一部破断側面図・断面図である。図１(A)は当該髪留めクリップの板ばねを閉じた状態、同(B)は開いた状態を示す。
【００１１】
本髪留めクリップはベース１と板ばね２とを有する。ベース１は伏せた樋状の断面形状と丸い両肩とを有し、全体が上方に凸に浅く湾曲している。板ばね２はベース１に沿ってベース裏面の凹部に開閉自在に収容されている。
【００１２】
ベース１の裏面凹部天井から下方に向けて、閉じた状態の板ばね２の外縁に接するように、２列の円錐突起列３、３が設けられ、円錐突起列３は一定間隔で形成された複数の円錐状突起を有する。ベース１の裏面凹部の下縁部全周に三角歯の列６と、ベース１の一端からやや内側に寄った位置にベース１の胴部側壁を横方向に貫通するピン４が設けられ、ベース１の他端には板ばね２の先端２ｂを係止するための止め金５が設けられる。
【００１３】
板ばね２は全体としてＺ字形をなし、その一端にヒンジ環２ａと、これに隣接する開環状スプリング部２ｂと、続いて板ばね本体部分を挟んでヒンジ環の反対側端部に係止用屈曲部２ｃと、さらに板ばね本体部分の中心線に沿って隆起線２ｄが設けられる。開環状スプリング部２ｂは、板ばね２全体をベース１から開かせる方向に付勢する。
【００１４】
板ばね２のヒンジ環２ａに前記ピン４が挿入され、ピン４を中心に板ばね２全体が回動する。板ばね２のもう一方の先端に設けた屈曲部２ｃの耳を手でベース１に設けた止め金５の窪みに押し込むことにより、板ばね２が係止されて閉じる。逆に、ベース１の下方に突出している止め金５先端の耳を手で押せば、屈曲部２ｃの係止状態が解かれて板ばね２が開く。
【００１５】
この実施形態では、例えば、三角歯の列６の歯幅を約２ｍｍ、円錐突起列３の高さを約３ｍｍ、隆起線２ｂの隆起高さを約２ｍｍにしても良い。またベース１の表面に美麗な模様などを描いても良い。
【００１６】
以上の特徴から、本髪留めクリップは、板ばね２を閉じたとき、前記隆起線２ｄとベース１裏面の天井面との隙間、板ばね２の外縁と円錐突起列３、３との隙間、及び三角歯列６の歯の隙間により、毛髪を３重に把握するので、ズリ落ちたり髪の毛が偏ったりすることがなく、ベースが毛髪から浮き上がらず密着する。また、外形が従来のバレッタに似て抵抗感がなく、ベース１の表面に模様なども描かれるので、装身具に相応しい装飾性を具える。
【図面の簡単な説明】
【００１７】
【図１】本考案に係る髪留めクリップの構成を示す一部破断側面・断面図である。
【図２】バレッタの構造を示す概念図である。
【図３】クリップザウルスの構造を示す概念図である。
【符号の説明】
【００１８】
１  ベース
２  板バネ
２ａ  ヒンジ環
２ｂ  開環状スプリング部
２ｃ  屈曲部
２ｄ  隆起線
３  円錐突起列
４  ピン
５  止め金
６  三角歯の列
【図１】
0003139886.tif 000003
【図２】
0003139886.tif 000004
【図３】
0003139886.tif 000005